(57)【要約】【課題】  ホルダーとケースのガタつきを抑制した嵌合固定とし、移動物体の検出に与える悪影響を抑制した移動物体検出装置を提供するものである。【解決手段】  磁気検出素子２と、磁気検出素子２に磁界を加える磁石３と、磁気検出素子２と電気的に接続された基板４と、磁石３と基板４とを配設し基板４と電気的に接続するリード端子５とを備えたホルダー６と、磁気検出素子２と磁石３と基板４とを覆うケース７と、ホルダー６とケース７とを相互に嵌合固定する嵌合部１３と、を備えた移動物体検出装置１において、嵌合部１３は、ホルダー６に設けられる少なくとも一対の突起部１３ａと、ケース７に設けられ突起部１３ａに嵌合する少なくとも一対の孔部１３ｂと、を備え、突起部１３ａの第１の幅Ｗ１に対して孔部１３ｂの第２の幅Ｗ２を広く形成し、一対の嵌合部１３の一方は、突起部１３ａが孔部１３ｂの左側に当接し、一対の嵌合部１３の他方は、突起部１３ａが孔部１３ｂの右側に当設したものである。【選択図】  図２
2011007670.tif 000002
【特許請求の範囲】
【請求項１】
磁気検出素子と、前記磁気検出素子に磁界を加える磁石と、前記磁気検出素子と電気的に接続された基板と、前記磁石と前記基板とを配設し前記基板と電気的に接続するリード端子とを備えたホルダーと、前記磁気検出素子と前記磁石と前記基板とを覆うケースと、前記ホルダーと前記ケースとを相互に嵌合固定する嵌合部と、を備えた移動物体検出装置において、前記嵌合部は、前記ホルダーもしくは前記ケースに設けられる少なくとも一対の突起部と、前記ケースもしくは前記ホルダーに設けられ前記突起部に嵌合する少なくとも一対の孔部と、を備え、前記突起部の第１の幅に対して前記孔部の第２の幅を広く形成し、一対の前記嵌合部の一方は、前記突起部が前記孔部の左側に当接し、一対の前記嵌合部の他方は、前記突起部が前記孔部の右側に当設したことを特徴とする移動物体検出装置。
【請求項２】
前記ホルダーに前記突起部を備え、前記ケースに前記孔部を有する腕片を備え、前記ホルダーに前記突起部を前記孔部に嵌合するために、前記腕片を誘い込む溝部を設けたことを特徴とする請求項１に記載の移動物体検出装置。
【請求項３】
前記ケースに前記突起部を有する腕片を備え、前記ホルダーに前記孔部を備え、前記ホルダーに前記突起部を前記孔部に嵌合するために、前記腕片を誘い込む溝部を設けたことを特徴とする請求項１に記載の移動物体検出装置。
【発明の詳細な説明】
【技術分野】
【０００１】
本発明は、被検出体（歯車等）の移動を検出する移動物体検出装置に関するものである。
【背景技術】
【０００２】
従来、移動物体検出装置が種々提案されており、例えば特許文献１に開示されている。斯かる移動物体検出装置は、磁気検出素子と、前記磁気検出素子に磁界を加える磁石と、前記磁気検出素子と電気的に接続された基板と、前記磁石と前記基板とを配設し、前記基板と電気的に接続するリード端子とを備えたホルダーと、前記磁気検出素子と前記磁石と前記基板とを覆うケースと、前記ケースに設けられる孔部と、前記ホルダーに設けられ前記孔部に嵌合する突起部とを備え、前記孔部を前記突起部に嵌合させて前記ホルダーと前記ケースとを固定するものであった。
【先行技術文献】
【特許文献】
【０００３】
【特許文献１】特開２００６−３０８４３５号公報
【発明の概要】
【発明が解決しようとする課題】
【０００４】
しかしながら、このような移動物体検出装置は、前記孔部を前記突起部に嵌合させて前記ホルダーと前記ケースとを固定するものであり、前記ケースと前記ホルダーとの組み付け方向を軸とした回転方向にガタつきが発生し、このガタつきに伴って前記ケースが、前記磁気検出素子に当たることで検出精度にばらつきが生じ、移動物体の検出に悪影響を及ぼすおそれがあった。
【０００５】
そこで、本発明は、前述した問題点に着目し、ホルダーとケースのガタつきを抑制した嵌合固定とし、移動物体の検出に与える悪影響を抑制した移動物体検出装置を提供するものである。
【課題を解決するための手段】
【０００６】
本発明は前記目的を達成するため、磁気検出素子と、前記磁気検出素子に磁界を加える磁石と、前記磁気検出素子と電気的に接続された基板と、前記磁石と前記基板とを配設し前記基板と電気的に接続するリード端子とを備えたホルダーと、前記磁気検出素子と前記磁石と前記基板とを覆うケースと、前記ホルダーと前記ケースとを相互に嵌合固定する嵌合部と、を備えた移動物体検出装置において、前記嵌合部は、前記ホルダーもしくは前記ケースに設けられる少なくとも一対の突起部と、前記ケースもしくは前記ホルダーに設けられ前記突起部に嵌合する少なくとも一対の孔部と、を備え、前記突起部の第１の幅に対して前記孔部の第２の幅を広く形成し、一対の前記嵌合部の一方は、前記突起部が前記孔部の左側に当接し、一対の前記嵌合部の他方は、前記突起部が前記孔部の右側に当設したものである。
【０００７】
また、前記ホルダーに前記突起部を備え、前記ケースに前記孔部を有する腕片を備え、前記ホルダーに前記突起部を前記孔部に嵌合するために、前記腕片を誘い込む溝部を設けたものである。
【０００８】
また、前記ケースに前記突起部を有する腕片を備え、前記ホルダーに前記孔部を備え、前記ホルダーに前記突起部を前記孔部に嵌合するために、前記腕片を誘い込む溝部を設けたものである。
【発明の効果】
【０００９】
本発明によれば、所期の目的を達成でき、ホルダーとケースのガタつきを抑制した嵌合固定とし、移動物体の検出に与える悪影響を抑制した移動物体検出装置を提供することができる。
【図面の簡単な説明】
【００１０】
【図１】本発明の第１実施形態の移動物体検出装置の側面図。
【図２】図１中Ａ−Ａ線の断面図。
【図３】同実施形態の嵌合状態を示す展開図。
【図４】図２中Ｂ−Ｂ線の断面図。
【図５】同実施形態のホルダーとケースの固定前の側面図。
【発明を実施するための形態】
【００１１】
本発明の第１実施形態の移動物体検出装置１は、磁気検出素子２と、磁気検出素子２に磁界を加える磁石３と、磁気検出素子２と電気的に接続された基板４と、磁石３と基板４とを配設し、基板４と電気的に接続するリード端子５とを備えたホルダー６と、磁気検出素子２と磁石３と基板４とを覆うケース７とを備えている。
【００１２】
磁気検出素子２は、ホールＩＣなどからなり、被検出体である移動物体の移動を検出する。ホールＩＣ２は、基板４の図２中下面側に搭載され、ケース７に接した状態にて配置される。ホールＩＣ２は、被検出体の移動に伴う磁力の変化を電気信号に変換し、リード端子５を介して外部に出力する。
【００１３】
磁石３は、永久磁石からなり、基板４に設けた貫通孔４ａを貫通し、ホルダー６に接着剤にて固定されており、ホールＩＣ２に磁界を与えるものである。
【００１４】
基板４は、ガラスエポキシ樹脂などの硬質の絶縁材に、銅などの導電材料からなる配線パターンを設けたものである。この基板４は、ホールＩＣ２、リード端子５と電気的に接続している。また、基板４には、回路素子４ｂが実装されている。
【００１５】
リード端子５は、屈曲形成された３本のリードフレームからなり、ホルダー６に主要部が内蔵されている。各リード端子５の一端部５ａは、ホルダー６に設けたコネクタ部８から露出しており、リード端子５の他端部５ｂは半田によって基板４と電気的に接続されている。なお、コネクタ部８は、検出手段５からの出力を外部機器へ接続伝達するものである。
【００１６】
ホルダー６は、合成樹脂からなり、コネクタ部８を一体に備えた構造体である。ホルダー６のコネクタ部８の反対側には、ホールＩＣ２、磁石３及び基板４が固定されている。
【００１７】
ホルダー６は、円柱形状をしており、二つの環状の溝９、１０が形成されている。一方の溝９は、他方の溝１０より直径が小さく、他方の溝１０より磁気検出素子２側で、ケース７で覆われる位置に設けられている。他方の溝１０は、ホルダー６の中程に設けられている。そして、各々の溝９、１０には、封止部材であるＯリング１１、１２が装着されている。Ｏリング１２は、移動物体検出装置１を図示しない機器などに取り付けた場合に、気密性を確保するためである。
【００１８】
ホルダー６は、ホルダー６とケース７とを嵌合固定する嵌合部１３を構成する突起部１３ａを備えている。突起部１３ａは、突起部１３ａ同士が、少なくとも一対を構成できるように、２つ設けられている。
【００１９】
ホルダー６に設けた突起部１３ａは、ホルダー６とケース７の組み付け方向を軸とした円周上に、所定の第１の幅Ｗ１を備えており、磁気検出素子２側に傾斜面１３ａ１を有する楔型をしている。
【００２０】
また、突起部１３ａの周囲には、ケース７の外周と同一面を形成する径大部６ａの一部を切り欠いた溝部６ｂが、設けられている。この溝部６ｂは、磁気検出素子２を設けた側が、広がった末広がりの形状である。
【００２１】
ケース７は、金属からなり、円盤状の底板７ａと、円筒形状の周壁部７ｂとを備えたカップ形状である。このケース７は、ホールＩＣ２、磁石３、基板４を覆っている。ホルダー６の溝９に設けたＯリング１１が、ホルダー６の溝９とケース７の周壁部７ｂの内側との間で圧縮されて、ホルダー６とケース７とで形成される空間内に水や空気などが入り込まないように封止している。
【００２２】
ケース７の周壁部７ｂの上端（開口）側には、孔部１３ｂを備えた腕片７ｃが、設けられている。この孔部１３ｂを備えた腕片７ｃは、ホルダー６の突起部１３ａと同様に、孔部１３ｂ同士が、少なくとも一対を構成できるように、２つ設けられている。
【００２３】
ケース７に設けた孔部１３ｂは、矩形をしており、ホルダー６とケース７の組み付け方向を軸とした円周上に、所定の第２の幅Ｗ２を備えている。第２の幅Ｗ２は、突起部１３ａの第１の幅Ｗ１より広く形成されている。
【００２４】
本実施形態では、ホルダー６の突起部１３ａとケース７の孔部１３ｂとで構成される嵌合部１３は、２つ設けられており、この２つの嵌合部１３で、一対の嵌合部１３を構成している。
【００２５】
この一対の嵌合部１３の一方の嵌合部１３（図３中左側、あるいは、図４中左側）は、突起部１３ａが孔部１３ｂの左側に当接している。さらに、この一対の嵌合部１３の他方の嵌合部１３（図３中右側、あるいは、図４中右側）は、突起部１３ａが孔部１３ｂの右側に当接している。一方の孔部１３ｂの左側に当接する突起部１３ａと他方の孔部１３ｂの右側に当接する突起部１３ａとで、２つの腕片７ｃに設けた孔部１３ｂを挟んだ状態となる。このように構成したことによって、ホルダー６とケース７との組み付け方向を軸とした回転方向にガタつきが、発生することを抑制し、移動物体の検出への悪影響を抑制することが可能となる。
【００２６】
ケース７の腕片７ｃの外形は、矩形をしており、ケース７をホルダー６に固定する際に、ホルダー６に形成した溝部６ｂによって誘い込まれて、ケース７の孔部１３ｂをホルダー６の突起部１３ａに嵌合固定する。このように構成したことによって、ホルダー６とケース７との嵌合固定を容易に行うことができる。
【００２７】
なお、第１実施形態では、嵌合部１３を構成する突起部１３ａをホルダー６に設け、孔部１３ｂをケース７に設けていたが、本実施形態に限定されるものではなく、突起部１３ａをケース７に設け、孔部１３ｂをホルダー６に設けても良い。ホルダー６に孔部１３ｂを設ける場合は、孔部１３ｂの形状は、貫通した孔ではなく、窪んだ孔とすればよい。突起部１３ａをケース７に設ける場合などは、ケース７を金属ではなく、樹脂によって形成すればよい。
【００２８】
なお、本実施形態では、突起部１３ａ、孔部１３ｂともに２つだけ設けられているが、本実施形態に限定されるものではなく、突起部１３ａ、孔部１３ｂともに３つ以上設けても良い。例えば、それぞれ３つ設けた場合は、３つの内の２つの突起部１３ａで、２つの孔部１３ｂを挟み込むようにすればよい。
【産業上の利用可能性】
【００２９】
本発明は、磁気検出素子を備えたホルダーをケースで覆った移動物体検出装置に利用可能である。
【符号の説明】
【００３０】
１    移動物体検出装置
２    磁気検出素子（ホールＩＣ）
３    磁石
４    基板
５    リード端子
６    ホルダー
６ｂ  溝部
７    ケース
１３    嵌合部
１３ａ  突起部
１３ｂ  孔部
Ｗ１  第１の幅
Ｗ２  第２の幅
【図１】
2011007670.tif 000003
【図２】
2011007670.tif 000004
【図３】
2011007670.tif 000005
【図４】
2011007670.tif 000006
【図５】
2011007670.tif 000007